(57)【要約】【課題】合成樹脂製のジョイント部材や、中枠を使用することなく、底ケースと上ケースの２個のケース部材を連結して物品を包装することが可能な包装容器を提供する。【解決手段】包装容器１は、上面が開口した箱で構成される底ケース２０と、底面が開口した箱で構成され、底ケース２０の内側に下部を嵌合して配置される上ケース１０とを備える。底ケース２０は、側面２２の一部を上下方向に延びる折り目３２で折り曲げて形成した、上下方向に延び、且つ内側に突出した差込部３０を備える。上ケース１０は、底ケース２０の差込部３０に対応する箇所に、差込部３０を挿入可能な差込口１４を備える。これにより、２個のケース部材を簡単に連結することができる。また、差込部３０は、上下方向に延び、折り重ねた部材であるので、上下方向に対する強度が高く、運搬時においても底ケース２０と上ケース１０とを強固に連結することが可能である。【選択図】図１０
2007238156.tif 000002
【特許請求の範囲】
【請求項１】
上面が開口した箱で構成される底ケースと、底面が開口した箱で構成され、底ケースの内側に下部を嵌合して配置される上ケースとを備えるとともに、
前記底ケースは、側面の一部を上下方向に延びる折り目で折り曲げて形成した、上下方向に延び、且つ内側に突出した少なくとも２個の差込部を備え、
前記上ケースは、底ケースの前記差込部に対応する箇所に、差込部を挿入可能な差込口を備えることを特徴とする包装容器
【請求項２】
前記底ケースの前記差込部は、係止片と、この係止片を受け入れる形状、大きさをなす係合孔とを備えるとともに、差込部を形成する過程で、係止片が係合孔に嵌合することを特徴とする請求項１に記載の包装容器。
【請求項３】
前記底ケースは、隣り合う側面間が粘着テープで結合されることを特徴とする請求項１または請求項２に記載の包装容器。
【請求項４】
前記底ケースは、段ボールで構成され、この段ボールの波板状中芯の波目方向が、底ケースの底面を挟んで対向する少なくとも２個の前記差込部の上下方向に一致することを特徴とする請求項１〜請求項３のいずれか１項に記載の包装容器。
【発明の詳細な説明】
【技術分野】
【０００１】
本発明は、物品を包装するための包装容器に関する。
【背景技術】
【０００２】
画像形成装置や家庭用電化製品等の物品は、通常段ボール等で構成される包装容器によって包装され、出荷されている。包装容器は、従来、被包装物である物品を段ボール製の箱にすっぽりと収納する形のものが多かった。しかしながら近年、大型の物品に対しては、物品の底面を支持する底ケースと、この底ケースに載置された物品を上方からカバーする形で底ケースに嵌合する上ケースとを組み合わせた包装容器を使用する場合が増えている。
【０００３】
このように底ケースと上ケースとを組み合わせる形の包装容器の多くは、底ケースの側面の内側に、上ケースの下部を嵌合させて組み合わせる。そして、これらのケースでは、互いに重なり合った箇所にそれぞれ複数の連結用孔を設け、この連結用孔に合成樹脂製のジョイント部材を連通させて連結する方法が広く採用されている。
【０００４】
しかしながら、このような構成では、底ケースと上ケースとを強固に連結するために、複数のジョイント部材が必要となる。これにより、材料、部品点数、及び生産工数の増加を招き、大幅なコストアップが生じる可能性がある。また、包装容器をリサイクルしたり、古くなったものを焼却したりする場合には、ジョイント部材を取り外す必要があり、たいへん面倒で作業能率が悪くなる。さらにジョイント部材は、取り付けたまま焼却すると、焼却による有害物質を排出してしまう恐れもある。
【０００５】
そこで上記のような問題を解決すべく、包装容器を構成するに当たって、ジョイント部材を使用することなく底ケースと上ケースとを連結することが可能な方法が提案され、その一例を特許文献１に見ることができる。特許文献１に記載された包装容器は、底ケースと、外ケース（上ケース）と、中枠とを備え、底ケースと外ケースには複数の差込片を、中枠には差込片が係合する複数のスリットを設けて、連結するようにしている。
【特許文献１】特開平１１−３２１８４２号公報（第３−４頁、図１）
【発明の開示】
【発明が解決しようとする課題】
【０００６】
特許文献１に記載された包装容器のように、底ケースと、外ケース（上ケース）と、中枠とに、互いに係合する複数の差込片と、スリットとを設けることにより、ジョイント部材を使用することなくこれらのケース部材を連結して包装容器を完成することが可能である。しかしながら、この包装容器では、ケース部材間の連結を行う際、必ず中枠を必要とするので、包装容器自体の材料、及び部品点数が増加して作業工数の増加、コストアップが生じる。また、差込片は、横方向に延びる形状をなし、その差込長さが短いと、スリットから簡単に脱落してしまう恐れがある。したがって、差込片の差込長さはできるだけ長くとる必要があり、材料の増加に起因するコストアップや、組み立て時の作業能率の低下を招く可能性が高い。
【０００７】
本発明は上記の点に鑑みなされたものであり、物品を包装するための包装容器において、合成樹脂製のジョイント部材や、中枠を使用することなく、連結箇所の材料使用量を極力抑制して、底ケースと上ケースといった２個のケース部材を連結して物品を包装することが可能な包装容器を提供することを目的とする。
【課題を解決するための手段】
【０００８】
上記の課題を解決するため、本発明は、上面が開口した箱で構成される底ケースと、底面が開口した箱で構成され、底ケースの内側に下部を嵌合して配置される上ケースとを備えるとともに、前記底ケースは、側面の一部を上下方向に延びる折り目で折り曲げて形成した、上下方向に延び、且つ内側に突出した少なくとも２個の差込部を備え、前記上ケースは、底ケースの前記差込部に対応する箇所に、差込部を挿入可能な差込口を備えることとした。
【０００９】
また、上記構成の包装容器において、前記底ケースの前記差込部は、係止片と、この係止片を受け入れる形状、大きさをなす係合孔とを備えるとともに、差込部を形成する過程で、係止片が係合孔に嵌合することとした。
【００１０】
また、上記構成の包装容器において、前記底ケースは、隣り合う側面間が粘着テープで結合されることとした。
【００１１】
また、上記構成の包装容器において、前記底ケースは、段ボールで構成され、この段ボールの波板状中芯の波目方向が、底ケースの底面を挟んで対向する少なくとも２個の前記差込部の上下方向に一致することとした。
【発明の効果】
【００１２】
本発明の構成によれば、上面が開口した箱で構成される底ケースと、底面が開口した箱で構成され、底ケースの内側に下部を嵌合して配置される上ケースとを備えるとともに、底ケースは、側面の一部を上下方向に延びる折り目で折り曲げて形成した、上下方向に延び、且つ内側に突出した少なくとも２個の差込部を備え、上ケースは、底ケースの差込部に対応する箇所に、差込部を挿入可能な差込口を備えることとしたので、底ケースの差込部を、上ケースの差込口へ挿入することにより、これら２個のケース部材を簡単に連結することができる。また、差込部は、上下方向に延び、折り重ねた部材であるので、上下方向に対する強度が高く、運搬時においても底ケースと上ケースとを強固に連結することが可能である。したがって、合成樹脂製のジョイント部材や、中枠を使用することなく、連結箇所である差込部の材料使用量を極力抑制して、底ケースと上ケースとを連結して物品を包装することが可能な包装容器を得ることができる。
【００１３】
また、底ケースの差込部は、係止片と、この係止片を受け入れる形状、大きさをなす係合孔とを備えるとともに、差込部を形成する過程で、係止片が係合孔に嵌合することとしたので、差込部を簡単に形成できるとともに、差込部の形状を安定させることができる。これにより、他に別途部材を設けることなく差込部の強度を高めることができ、底ケースと上ケースとの連結に対して、しっかりとした連結箇所を構成することが可能である。
【００１４】
また、底ケースは、隣り合う側面間が粘着テープで結合されることとしたので、底ケースを容易に形成することが可能である。そして、底ケースの内底面に載置された被包装物である物品を上方からカバーする形で上ケースを被せた後、底ケースの差込部を上ケースの差込口に挿入しつつ、底ケースを形成することができる。これにより、底ケースと上ケースとを連結して物品を包装する作業能率を向上させることが可能である。
【００１５】
また、底ケースは、段ボールで構成され、この段ボールの波板状中芯の波目方向が、底ケースの底面を挟んで対向する少なくとも２個の差込部の上下方向に一致することとしたので、差込部自体の強度が一層向上する。これにより、底ケースと上ケースとの連結に対して、さらにしっかりとした連結箇所を構成することが可能である。
【発明を実施するための最良の形態】
【００１６】
以下、本発明の実施形態を図１〜図１０に基づき説明する。
【００１７】
最初に、本発明の実施形態に係る包装容器について、図１〜図５を用いて説明する。図１は包装容器全体の斜視図である。図２は上ケースの斜視図、図３は上ケースの展開図である。図４は底ケースの展開図、図５は底ケースの差込部の部分拡大図である。
【００１８】
図１に示すように、包装容器１は、上ケース１０と、底ケース２０とを備えている。包装容器１は、上ケース１０の下部を、底ケース２０の内側に嵌合する形で構成されている。この包装容器１の内部に、被包装物である物品（図示せず）が収容され、包装される。
【００１９】
上ケース１０は、図１、及び図２に示すように、底面が開口した段ボール製の箱で構成されている。図３は上ケース１０の展開図であるが、これは四面ある側面１１の二面分であって、上ケース１０は、これをのりしろ１２の箇所で横方向に２個組み合わせることにより形成される。上ケース１０の上面には、図２に示すように、開閉式のフラップ１３が計４個、２個ずつ対向する形で備えられている。
【００２０】
上ケース１０の側面１１の下部には、各面に一箇所ずつ、差込口１４が設けられている。差込口１４は、上下方向に延びる長方形形状をなし、表面から内面にかけて貫通している。この差込口１４は、底ケース２０との連結に用いられるものであって、詳細を後述する底ケース２０の差込部３０に対応する箇所に、差込部３０を挿入可能な形状、大きさで設けられている。
【００２１】
底ケース２０は、図１に示すように、上面が開口した段ボール製の箱で構成されている。底ケース２０は、図４の展開図に示す１枚の段ボールから形成される。展開した状態の底ケース２０は、長方形の底面２１から側面２２が四方に延びる形になっている。
【００２２】
底ケース２０の側面２２の、横方向端部２２ａの近傍の箇所には、差込部３０が設けられている。差込部３０は、底ケース２０の、四面ある側面２２の各々に各一箇所ずつ備えられ、各々は側面２２の正面から見て右側に揃えて設けられている（図１参照）。
【００２３】
差込部３０は、図５に示すように、ベースとなる帯状部３１に対して、３箇所の折り目３２ａ〜３２ｃと、係止片３３と、係合孔３４とを備えている。
【００２４】
差込部３０のベースとなる帯状部３１は、底ケース２０を組み立てた状態の時に、側面２２の上部となる箇所、すなわち図５において底面２１から離れた箇所に設けられている。帯状部３１は、側面２２の横方向に延び、その横方向端部２２ａから外側にはみ出るような形で設けられている。
【００２５】
折り目３２ａ〜３２ｃは、帯状部３１の根元の箇所に、底ケース２０を組み立てた状態の時に上下方向に延びるように設けられている。折り目３２ａ〜３２ｃは、帯状部３１が延びる横方向に並べて等間隔に設けられている。
【００２６】
係止片３３は、折り目３２ａ〜３２ｃに続いて、帯状部３１の、側面２２の横方向端部２２ａから外側にはみ出した箇所に備えられている。そして、係止片３３は、帯状部３１から、底面２１側に突出した形で設けられている。
【００２７】
係合孔３４は、帯状部３１の、折り目３２ａ〜３２ｃが設けられた箇所の底面２１側の箇所に、側面２２を貫通する形で設けられている。係合孔３４は、係止片３３を受け入れる形状、大きさをなし、帯状部３１が延びる方向に平行して係止片３３に対応した箇所に設けられている。
【００２８】
このような構成の差込部３０を組み立て、形成する方法について、続いて図６〜図８を用いて説明する。図６は底ケースの差込部の部分拡大斜視図にして、組み立て途中の状態を示すもの、図７は同じく差込部の部分拡大斜視図にして、組み立て完了状態を示すものである。図８は、差込部端面の部分拡大斜視図である。
【００２９】
差込部３０を組み立て、形成する際、まず図６に示すように、帯状部３１を折り目３２ａ〜３２ｃに沿って折り曲げる。この時、真ん中の折り目３２ｂの箇所が側面２２に対して凸となるように折り曲げ、帯状部３１の最も根元側にある折り目３２ａの箇所に、折り目３２ｃの箇所を接近させるようにして帯状部３１の端部３１ａを移動させる。
【００３０】
続いて、図７に示すように、折り目３２の箇所を密着させる。これにより、係合孔３４の箇所に係止片３３が到達する。そして、係止片３３を係合孔３４に嵌合させる。係止片３３が係合孔３４に嵌合すると、側面２２の横方向端部２２ａから外側にはみ出していた帯状部３１は、その端部３１ａが側面２２の端部２２ａに一致する。
【００３１】
このようにして差込部３０は、側面２２の一部を折り曲げることにより、底ケース２０の上下方向に延び、且つ長方形形状の側面２２の表面に対して、内側に突出した形で構成されることとなる。なお、底ケース２０に設けられた４個の差込部３０は、４個のうち、底面２１を挟んで対向するいずれか２個が、図８に示すように、底ケース２０を構成する段ボールの波板状中芯の波目方向が、底ケース２０組み立てた時の差込部３０の上下方向に一致する。
【００３２】
次に、上ケース１０と底ケース２０との組み立て方法について、図１に加えて、図９、及び図１０を用いて説明する。図９は、差込部を形成した、展開状態にある底ケースの斜視図である。図１０は、展開状態にある底ケースに上ケースを載置した状態の斜視図である。なお、図１、図９、図１０において、底ケース２０の側面２２に設けられた差込部３０の、係止片３３と係合孔３４とは、それらの描画を省略している。
【００３３】
上ケース１０と底ケース２０とを組み立てて、包装容器１を形成する際、まず図９に示すように、底ケース２０を展開状態にして用意する。そして、底ケース２０の四面ある側面２２に、各々一箇所ずつ備えられた差込部３０は、上方に凸の状態に突出させて構成しておく。
【００３４】
続いて、図１０に示すように、底ケース２０の底面２１上に、上ケース１０を載置する。そして、底ケース２０の四面の側面２２を上方に向かって折り曲げる。ここで、上ケース１０の側面１１には、底ケース２０の差込部３０が挿入可能な位置、形状、大きさで、差込口１４が設けられているので、側面２２を折り曲げる過程で、差込口１４に差込部３０が挿入される。
【００３５】
こうして包装容器１は、図１に示すように、上ケース１０の下部が、底ケース２０の内側に嵌合した形で構成される。最後に、底ケース２０の隣り合う側面２２間を粘着テープ４０で結合する。
【００３６】
このようにして、上面が開口した箱で構成される底ケース２０と、底面が開口した箱で構成され、底ケース２０の内側に下部を嵌合して配置される上ケース１０とを備えるとともに、底ケース２０は、側面２２の一部を上下方向に延びる折り目３２ａ〜３２ｃで折り曲げて形成した、上下方向に延び、且つ内側に突出した４個の差込部３０を備え、上ケース１０は、底ケース２０の差込部３０に対応する箇所に、差込部３０を挿入可能な差込口１４を備えるので、底ケース２０の差込部３０を、上ケース１０の差込口１４へ挿入することにより、これら２個のケース部材を簡単に連結することができる。また、差込部３０は、上下方向に延び、折り重ねた部材であるので、上下方向に対する強度が高く、運搬時においても底ケース２０と上ケース１０とを強固に連結することが可能である。したがって、合成樹脂製のジョイント部材や、中枠を使用することなく、連結箇所である差込部３０の材料使用量を極力抑制して、底ケース２０と上ケース１０とを連結して物品を包装することが可能な包装容器１を得ることができる。
【００３７】
また、底ケース２０の差込部３０は、係止片３３と、この係止片３３を受け入れる形状、大きさをなす係合孔３４とを備えるとともに、差込部３０を形成する過程で、係止片３３が係合孔３４に嵌合するので、差込部３０を簡単に形成できるとともに、差込部３０の形状を安定させることができる。これにより、他に別途部材を設けることなく差込部３０の強度を高めることができ、底ケース２０と上ケース１０との連結に対して、しっかりとした連結箇所を構成することが可能である。
【００３８】
そして、底ケース２０は、隣り合う側面２２間が粘着テープ４０で結合されるので、底ケース２０を容易に形成することが可能である。そして、底ケース２０の内底面に載置された被包装物である物品を上方からカバーする形で上ケース１０を被せた後、底ケース２０の差込部３０を上ケース１０の差込口１４に挿入しつつ、底ケース２０を形成することができる。これにより、底ケース２０と上ケース１０とを連結して物品を包装する作業能率を向上させることが可能である。
【００３９】
さらに、底ケース２０は、段ボールで構成され、この段ボールの波板状中芯の波目方向が、底ケース２０の底面２１を挟んで対向する少なくとも２個の差込部３０の上下方向に一致するので、差込部３０自体の強度が一層向上する。これにより、底ケース２０と上ケース１０との連結に対して、さらにしっかりとした連結箇所を構成することが可能である。
【００４０】
以上、本発明の実施形態につき説明したが、本発明の範囲はこれに限定されるものではなく、発明の主旨を逸脱しない範囲で種々の変更を加えて実施することができる。
【００４１】
例えば、上記実施形態では、底ケース２０の四面ある側面２２に、各々一箇所ずつ計４個の差込部３０を設けたが、差込部３０の数はこれに限定されるわけではなく、側面２２に各２箇所以上ずつ設けても構わないし、底ケース２０の底面２１を挟んで対向する一組計２個のみを設けることとしても構わない。また、差込部３０を設けた箇所は、側面２２の横方向端部２２ａの近傍としたが、横方向中央部等、様々な箇所に設けることが可能である。
【産業上の利用可能性】
【００４２】
本発明は、被包装物を包装する包装容器全般において利用可能である。
【図面の簡単な説明】
【００４３】
【図１】本発明の実施形態に係る包装容器全体の斜視図である。
【図２】図１に示す包装容器の上ケースの斜視図である。
【図３】上ケースの展開図である。
【図４】図１に示す包装容器の底ケースの展開図である。
【図５】底ケースの差込部の部分拡大図である。
【図６】底ケースの差込部の部分拡大斜視図にして、組み立て途中の状態を示すものである。
【図７】底ケースの差込部の部分拡大斜視図にして、組み立て完了状態を示すものである。
【図８】差込部端面の部分拡大斜視図である。
【図９】差込部を形成した、展開状態にある底ケースの斜視図である。
【図１０】展開状態にある底ケースに上ケースを載置した状態の斜視図である。
【符号の説明】
【００４４】
１    包装容器
１０  上ケース
１１  側面
１４  差込口
２０  底ケース
２１  底面
２２  側面
２２ａ  端部
３０  差込部
３１  帯状部
３１ａ  端部
３２ａ〜３２ｃ  折り目
３３  係止片
３４  係合孔
４０  粘着テープ
【図１】
2007238156.tif 000003
【図２】
2007238156.tif 000004
【図３】
2007238156.tif 000005
【図４】
2007238156.tif 000006
【図５】
2007238156.tif 000007
【図６】
2007238156.tif 000008
【図７】
2007238156.tif 000009
【図８】
2007238156.tif 000010
【図９】
2007238156.tif 000011
【図１０】
2007238156.tif 000012